【手続補正書】
【提出日】平成17年1月6日(2005.1.6)
【手続補正１】
【補正対象書類名】明細書
【補正対象項目名】発明の名称
【補正方法】変更
【補正の内容】
【発明の名称】プリント装置及びプリント装置の制御方法
【手続補正２】
【補正対象書類名】明細書
【補正対象項目名】特許請求の範囲
【補正方法】変更
【補正の内容】
【特許請求の範囲】
【請求項１】
複数のコンピュータが接続されたネットワークを介して前記コンピュータと接続する接続手段と、
前記接続手段を介して前記コンピュータから受信するデータに基づいて画像をプリントするプリント手段と、
前記複数のコンピュータの少なくともいずれか１つが管理するファイルを特定するための特定情報を入力する入力手段と、
前記特定情報により特定されるファイルを管理するコンピュータに対して、前記ファイルにかかるデータの送信を要求する要求手段と、
前記要求手段の要求に応じて前記コンピュータから受信する前記データに基づいて画像をプリントするよう前記プリント手段を制御する制御手段と、
を有することを特徴とするプリント装置。
【請求項２】
前記特定情報は、前記複数のコンピュータのいずれか１つを特定するための第１の特定情報と、前記第１の特定情報により特定されるコンピュータが管理する複数のファイルの中から所望のファイルを特定する第２の特定情報を含む情報であることを特徴とする請求項１に記載のプリント装置。
【請求項３】
前記接続手段が接続可能なコンピュータに関するリストを表示する表示手段を有し、
前記入力手段は、前記表示手段に表示された前記リストから所定の前記コンピュータが選択されたことに応じて前記第１の特定情報を入力することを特徴とする請求項２に記載のプリント装置。
【請求項４】
前記接続手段が接続したコンピュータに関する接続履歴情報を記憶する記憶手段を有し、
前記表示手段は、前記記憶手段に記憶された前記接続履歴情報に基づいて前記リストを表示することを特徴とする請求項３に記載のプリント装置。
【請求項５】
前記第１の特定情報が入力されたことに応じて、前記第１の特定情報が特定するコンピュータに対して、該コンピュータが管理するファイルに関するファイル情報の送信を要求するファイル情報要求手段を有し、
前記入力手段は、前記ファイル情報要求手段の要求に応じて前記接続手段が受信する前記ファイル情報に応じた前記第２の特定情報を入力することを特徴とする請求項２に記載のプリント装置。
【請求項６】
前記特定されたコンピュータが管理するファイルに関するリストを、前記ファイル情報に基づいて表示する表示手段を有し、
前記入力手段は、前記表示手段に表示された前記リストから所定の前記ファイルが選択されたことに応じて前記第２の特定情報を入力することを特徴とする請求項５に記載のプリント装置。
【請求項７】
前記表示手段は、前記選択されたファイル内の画像データを表示することを特徴とする請求項６に記載のプリント装置。
【請求項８】
前記入力手段は、前記第１の特定情報とともに前記第１の特定情報が特定するコンピュータに接続するための認証情報を入力することを特徴とする請求項２に記載のプリント装置。
【請求項９】
前記複数のコンピュータのいずれか１つを特定するための前記第１の特定情報を記憶する記憶媒体であって前記プリント装置に着脱可能な記憶媒体から、前記第１の特定情報を読み出す読出手段を有し、
前記入力手段は、前記読出手段が読み出した前記第１の特定情報を入力することを特徴とする請求項２に記載のプリント装置。
【請求項１０】
前記入力手段は、前記プリント装置の使用者からの指示に基づいて前記特定情報を入力することを特徴とする請求項１乃至９のいずれかに記載のプリント装置。
【請求項１１】
前記プリント装置を操作するための操作手段を有し、
前記入力手段は、前記操作手段を介した前記プリント装置の使用者からの指示に基づいて前記特定情報を入力することを特徴とする請求項１０に記載のプリント装置。
【請求項１２】
前記接続手段が前記複数のコンピュータのいずれか１つと接続中であることを表示する接続表示手段を有することを特徴とする請求項１乃至１１のいずれかに記載のプリント装置。
【請求項１３】
前記接続手段は、前記複数のコンピュータのいずれか１つと接続したの後の所定タイミングにて前記コンピュータとの接続を解除することを特徴とする請求項１乃至１２のいずれかに記載のプリント装置。
【請求項１４】
前記所定タイミングは、前記プリント装置が待機状態となってから所定時間経過したタイミングであることを特徴とする請求項１３に記載のプリント装置。
【請求項１５】
前記特定情報を記憶する着脱可能な記憶媒体から、前記複数のコンピュータのいずれか１つを特定するための第１の特定情報を読み出す読出手段を有し、
前記所定タイミングは、前記接続手段が前記第１の特定情報が特定する前記コンピュータと接続した後に前記記憶媒体が前記プリント装置から取り外されるタイミングであることを特徴とする請求項１３に記載のプリント装置。
【請求項１６】
前記制御手段は、前記要求手段の要求に応じて前記コンピュータから受信するデータに基づいて画像をプリントする第１プリントモード又は、前記要求手段の要求なしに前記コンピュータから受信するデータに基づいて画像をプリントする第２プリントモードのいずれかのプリントモードで前記プリント手段を制御することを特徴とする請求項１乃至１５のいずれかに記載のプリント装置。
【請求項１７】
ネットワークに接続された複数のコンピュータのいずれか１つから受信するデータに基づいて画像をプリントするプリント装置の制御方法であって、
前記複数のコンピュータの少なくともいずれか１つが管理するファイルを特定するための特定情報を入力する入力ステップと、
前記特定情報により特定されるファイルを管理するコンピュータに対して、前記ファイルにかかるデータの送信を要求する要求ステップと、
前記要求ステップにおける要求に応じて前記コンピュータから受信する前記データに基づいて画像をプリントするよう制御する制御ステップと、
を有することを特徴とするプリント装置の制御方法。
【請求項１８】
前記特定情報は、前記複数のコンピュータのいずれか１つを特定するための第１の特定情報と、前記第１の特定情報により特定されるコンピュータが管理する複数のファイルの中から所望のファイルを特定する第２の特定情報を含む情報であることを特徴とする請求項１７に記載のプリント装置の制御方法。
【請求項１９】
前記プリント装置が接続可能なコンピュータに関するリストを表示する表示ステップを有し、
前記入力ステップは、前記表示ステップにて表示された前記リストから所定の前記コンピュータが選択されたことに応じて前記第１の特定情報を入力することを特徴とする請求項１８に記載のプリント装置の制御方法。
【請求項２０】
前記第１の特定情報が入力されたことに応じて、前記第１の特定情報が特定するコンピュータに対して、該コンピュータが管理するファイルに関するファイル情報の送信を要求するファイル情報要求ステップを有し、
前記入力ステップは、前記ファイル情報要求ステップの要求に応じて前記コンピュータから受信する前記ファイル情報に応じた前記第２の特定情報を入力することを特徴とする請求項１８に記載のプリント装置の制御方法。
【請求項２１】
前記特定されたコンピュータが管理するファイルに関するリストを、前記ファイル情報に基づいて表示する表示ステップを有し、
前記入力ステップは、前記表示ステップにて表示された前記リストから所定の前記ファイルが選択されたことに応じて前記第２の特定情報を入力することを特徴とする請求項２０に記載のプリント装置の制御方法。
【請求項２２】
前記複数のコンピュータのいずれか１つを特定するための前記第１の特定情報を記憶する記憶媒体であって前記プリント装置に着脱可能な記憶媒体から、前記第１の特定情報を読み出す読出ステップを有し、
前記入力ステップは、前記読出ステップにて読み出した前記第１の特定情報を入力することを特徴とする請求項１８に記載のプリント装置の制御方法。
【請求項２３】
前記入力ステップは、前記プリント装置の使用者からの指示に基づいて前記特定情報を入力することを特徴とする請求項１７乃至２２のいずれかに記載のプリント装置の制御方法。
【請求項２４】
前記入力ステップは、前記プリント装置を操作するための操作部を介した前記プリント装置の使用者からの指示に基づいて前記特定情報を入力することを特徴とする請求項２３に記載のプリント装置の制御方法。
【請求項２５】
前記複数のコンピュータのいずれか１つと接続した後の所定タイミングにて前記コンピュータとの接続を解除する解除ステップを有することを特徴とする請求項１７乃至２４のいずれかに記載のプリント装置の制御方法。
【請求項２６】
前記制御ステップは、前記要求ステップの要求に応じて前記コンピュータから受信するデータに基づいて画像をプリントする第１プリントモード又は、前記要求ステップの要求なしに前記コンピュータから受信するデータに基づいて画像をプリントする第２プリントモードのいずれかのプリントモードでプリントするよう制御することを特徴とする請求項１７乃至２５のいずれかに記載のプリント装置の制御方法。
【手続補正３】
【補正対象書類名】明細書
【補正対象項目名】０００１
【補正方法】変更
【補正の内容】
【０００１】
【発明の属する技術分野】
本発明はプリント装置及びプリント装置の制御方法に関する。
【手続補正４】
【補正対象書類名】明細書
【補正対象項目名】００１０
【補正方法】変更
【補正の内容】
【００１０】
【課題を解決するための手段】
上記目的を達成するために、本発明のプリント装置及びプリント装置の制御方法は以下の構成を備える。
【手続補正５】
【補正対象書類名】明細書
【補正対象項目名】００１１
【補正方法】変更
【補正の内容】
【００１１】
即ち、複数のコンピュータが接続されたネットワークを介して前記コンピュータと接続する接続手段と、前記接続手段を介して前記コンピュータから受信するデータに基づいて画像をプリントするプリント手段と、前記複数のコンピュータの少なくともいずれか１つが管理するファイルを特定するための特定情報を入力する入力手段と、前記特定情報により特定されるファイルを管理するコンピュータに対して、前記ファイルにかかるデータの送信を要求する要求手段と、前記要求手段の要求に応じて前記コンピュータから受信する前記データに基づいて画像をプリントするよう前記プリント手段を制御する制御手段と、を有する。
【手続補正６】
【補正対象書類名】明細書
【補正対象項目名】００１２
【補正方法】変更
【補正の内容】
【００１２】
また、ネットワークに接続された複数のコンピュータのいずれか１つから受信するデータに基づいて画像をプリントするプリント装置の制御方法であって、前記複数のコンピュータの少なくともいずれか１つが管理するファイルを特定するための特定情報を入力する入力ステップと、前記特定情報により特定されるファイルを管理するコンピュータに対して、前記ファイルにかかるデータの送信を要求する要求ステップと、前記要求ステップにおける要求に応じて前記コンピュータから受信する前記データに基づいて画像をプリントするよう制御する制御ステップと、を有する。
【手続補正７】
【補正対象書類名】明細書
【補正対象項目名】００１３
【補正方法】削除
【補正の内容】
【手続補正８】
【補正対象書類名】明細書
【補正対象項目名】００７５
【補正方法】変更
【補正の内容】
【００７５】
【発明の効果】
以上説明したように本発明によれば、ネットワークを介して接続される複数のコンピュータの少なくともいずれか１つが管理するファイルを特定し、特定されるファイルを管理するコンピュータに対してファイルにかかるデータの送信を要求し、要求に応じてコンピュータから送られてくるファイルにかかるデータに基づいて画像のプリントをするプリント装置及びその制御方法を提供することができる。
【手続補正９】
【補正対象書類名】明細書
【補正対象項目名】００７６
【補正方法】削除
【補正の内容】
【手続補正１０】
【補正対象書類名】明細書
【補正対象項目名】００７７
【補正方法】削除
【補正の内容】